(57)【要約】【課題】ミラーを反射して撮影されたフイルム画像の裏表を容易に判別できる写真フイルムを内蔵したレンズ付きフイルムユニットを提供する。【解決手段】写真フイルム１２には、フレームナンバーを示す数字情報３７と、バーコード３８とからなるサイドプリント情報３６が予め潜像記録されている。サイドプリント情報３６は、現像された写真フイルム１２を乳剤面３３側から見たとき、撮影画像の裏表が正しく観察される。また、撮影画像の裏表とサイドプリント情報３６の裏表が一致しているので、サイドプリント情報３６の裏表を確認することで撮影画像の裏表が確認できる。【選択図】　　　　図６
2004078067.tif 000002
【特許請求の範囲】
【請求項１】
乳剤面が撮影レンズの光軸と平行に配置された写真フイルムと、前記撮影レンズを透過した撮影光を反射して撮影光路を直角に折り曲げることにより、前記写真フイルムに露光を付与する平面鏡とを内蔵し、
前記写真フイルムにはその裏表を判別するための指標が予め潜像記録されており、前記指標は、現像後の写真フイルムを前記乳剤面側から見たときに表画像として正しく観察されるとともに、フイルムベース面側から見たときには左右が反転した裏画像として観察される、フイルム端縁に記録されたサイドプリント情報であることを特徴とするレンズ付きフイルムユニット。
【請求項２】
物体側から順に、負のパワーを有する対物レンズ、第１接眼レンズ、第２接眼レンズとが配列されたファインダを内蔵し、
前記第１接眼レンズ及び第２接眼レンズの屈折力をそれぞれＰ１、Ｐ２としたときに、
Ｐ１＞｜Ｐ２｜
を満足し、ファインダ厚みＷが少なくとも２６ｍｍを有し、前記対物レンズの瞳側の面から前記第１接眼レンズの物体側の面までの間隔をＬとしたときに、
０．２＜Ｌ／Ｗ＜０．７
を満足することを特徴とする請求項１記載のレンズ付きフイルムユニット。
【請求項３】
前記第１接眼レンズの瞳側の面上にターゲットマークが設けられるとともに、前記第２接眼レンズの瞳側の面上にマイクロレンズが設けられており、ファインダ視野内で前記ターゲットマークが前記マイクロレンズによって拡大して観察されることを特徴とする請求項２記載のレンズ付きフイルムユニット。
【請求項４】
前記ファインダは、ストロボ発光部の背後に収納され、ストロボ発光部によってファインダ視野が遮られる不使用位置と、ストロボ発光部の背後からポップアップして、ファインダ視野からストロボ発光部を退避させる使用位置との間で移動することを特徴とする請求項２記載のレンズ付きフイルムユニット。
【請求項５】
前記ストロボ発光部は、ストロボ回路を構成する回路素子が取り付けられたストロボ基板上に設けられており、前記ストロボ基板は、回路素子の取り付け面がファインダ光軸と平行に配置され、前記回路素子は、前記ファインダが不使用位置にあるときに、ファインダ光路内に入り込む位置に取り付けられていることを特徴とする請求項４記載のレンズ付きフイルムユニット。
【請求項６】
現像された写真フイルムから、撮影画像と、製造時に潜像記録されたサイドプリント情報とを読み取り、読み取られたサイドプリント情報が登録された情報であるか否かを判定し、登録された情報であると判定されたときにはそのまま撮影画像のプリント処理を行うとともに、未登録の情報であると判定されたときには、読み取ったサイドプリント情報を反転させて登録された情報であるかを再度判定し、登録された情報であると判定されたときには読み取った撮影画像を反転処理してプリントを行うことを特徴とするデジタルプリンタ。
【発明の詳細な説明】
【０００１】
【発明の属する技術分野】
本発明は、撮影光路を折り曲げる平面鏡を備えたレンズ付きフイルムユニット、及びその撮影画像のプリントに好適なデジタルプリンタに関する。
【０００２】
【従来の技術】
予め未露光の写真フイルムが装填され、購入したその場で写真撮影が可能な１回使い切りのレンズ付きフイルムユニットが知られている。レンズ付きフイルムユニットは、低価格でコンパクトという手軽さにより、誰でも簡単に写真撮影を楽しめることから広く普及している。近年では、レンズ付きフイルムユニットのコンパクト化が進み、例えば、３５ミリフイルムパトローネよりも小型のＡＰＳフイルムカートリッジが採用され、フイルム収納スペースと画面サイズを縮小して薄型化された製品も販売されている。
【０００３】
従来のレンズ付きフイルムユニットでは、写真フイルムがレンズ光軸と直交して配置されている。このため、その厚み寸法は撮影レンズの焦点距離に近い大きさを必要とし、撮影画質を落とすことなく薄型化を図るには限界がある。そこで、特開平７−６４１７８号公報、特開平７−１２０８２３号公報、特開平７−２０９７４１号公報等に記載されているように、撮影光路をミラーで直角に折り曲げ、写真フイルムを撮影レンズの光軸と平行に配置すれば、撮影レンズの焦点距離を変えることなく製品寸法を薄型化することが可能である。
【０００４】
【発明が解決しようとする課題】
しかしながら、ミラーを有する撮影光学系で得られる画像は、レンズ光軸が写真フイルムと直交した通常の撮影光学系で得られる画像と比べると、写真フイルムを同じ面から見たときに画像の左右が反転する。このため、ミラーを有する撮影光学系に使用された写真フイルムの裏表と、通常の撮影光学系で使用された写真フイルムの裏表とが逆になる。
【０００５】
従来では、ネガフイルムから印画紙に画像をプリントする際などに、フイルム端縁に記録されたサイドプリントの文字の向きを参考にして写真フイルムの裏表を確認することが慣用されている。このため、ミラーを有する撮影光学系に市販の写真フイルムを使用すると、サイドプリントの裏表と画像の裏表とが一致せず、裏焼きプリントなどのプリントミスが発生するという問題がある。また、ミラーを有する撮影光学系と通常の撮影光学系とでそれぞれ使用された写真フイルムを区別して取り扱うと、手間がかかるという問題がある。
【０００６】
また、上記特開平７−２０９７４１号公報には、フイルム画像が反転して撮影されていることを示す情報をフイルム面上に光学的もしくは磁気的に記録することが記載されている。しかしながら、レンズ付きフイルムユニットではコストアップをできる限り抑えることが必要とされる事情から、磁気記録や光学記録を行なう装置を内蔵させることはできない。
【０００７】
本発明は、上記背景を考慮してなされたもので、サイドプリントを利用する従来通りのやり方で写真フイルムすなわち撮影画像の裏表が確認でき、ミラーを有する撮影光学系を備えることで薄型化を図ったレンズ付きフイルムユニットを提供することを目的とする。
【０００８】
【課題を解決するための手段】
請求項１記載のレンズ付きフイルムユニットは、乳剤面が撮影レンズの光軸と平行に配置された写真フイルムと、前記撮影レンズを透過した撮影光を反射して撮影光路を直角に折り曲げることにより、前記写真フイルムに露光を付与する平面鏡とを内蔵している。この写真フイルムには、現像後の写真フイルムを乳剤面側から見たときに表像として正しく観察されるサイドプリントが、潜像記録によってフイルムの裏表を確認するための指標として設けられている。従来の写真フイルムには、フイルムベース面側から見て正しく観察されるサイドプリントが設けられている。本発明では、乳剤面側から見て正しく観察されるサイドプリントを設けることにより、左右が反転して撮影された画像の向きとサイドプリントの向きとを対応させている。
【０００９】
請求項２記載のレンズ付きフイルムユニットは、物体側から順に、負のパワーを有する対物レンズ、第１接眼レンズ、第２接眼レンズとが配列されたファインダを内蔵しており、前記第１接眼レンズ及び第２接眼レンズの屈折力をそれぞれＰ１、Ｐ２としたときに、
Ｐ１＞｜Ｐ２｜
を満足し、ファインダ厚みＷが少なくとも２６ｍｍを有し、前記対物レンズの瞳側の面から前記第１接眼レンズの物体側の面までの間隔をＬとしたときに、
０．２＜Ｌ／Ｗ＜０．７
を満足することを特徴とする。Ｌ／Ｗが下限値０．２を下回ると、Ｌが小さくなることでファインダ倍率が小さくなり、対物レンズを大きくする必要が生じる。また、Ｌ／Ｗが上限値０．７を上回ると、第１接眼レンズと第２接眼レンズの間隔が狭まりファインダ視野が狭くなる。
【００１０】
請求項３記載のレンズ付きフイルムユニットは、第１接眼レンズの物体側の面上にターゲットマークを設け、第２接眼レンズの瞳側の面上にターゲットマーク拡大用のマイクロレンズを設けたものである。
【００１１】
請求項４記載のレンズ付きフイルムユニットは、ファインダをストロボ発光部の背後に配置して、ストロボ発光部によってファインダ視野が遮られる不使用位置と、ストロボ発光部の背後からポップアップして、ファインダ視野からストロボ発光部を退避させる使用位置との間で移動することを特徴とする。
【００１２】
請求項５記載のレンズ付きフイルムユニットは、ストロボ回路を構成する回路素子が取り付けられたストロボ基板上にストロボ発光部を設け、ストロボ基板をファインダ光軸と平行に配置して、回路素子を各ファインダレンズの隙間に配置したものである。
【００１３】
請求項６記載のデジタルプリンタは、現像された写真フイルムから、撮影画像と、製造時に潜像記録されたサイドプリント情報とを読み取り、読み取られたサイドプリント情報が登録された情報であるか否かを判定し、登録された情報であると判定されたときにはそのまま撮影画像のプリント処理を行うとともに、未登録の情報であると判定されたときには、読み取ったサイドプリント情報を反転させて登録された情報であるかを再度判定し、登録された情報であると判定されたときには読み取った撮影画像を反転処理してプリントを行うことを特徴とする。
【００１４】
【発明の実施の形態】
図１において、レンズ付きフイルムユニット１は、撮影レンズ２を有する暗箱３が設けられたユニット本体部４と、ユニット底部５とを備えている。ユニット本体部４上には、ストロボ基板６、ストロボ発光部７が設けられている。ユニット本体部４とユニット底部５との間には、パトローネ室８、フイルム通路９、フイルム室１０が形成されている。
【００１５】
パトローネ室８にはパトローネ１１が収納され、フイルム室１０にはパトローネ１１から予め引き出された写真フイルム１２が中空のロール状になって収納されている。ユニット底部５にはフイルム押さえ５ａが設けられ、暗箱３の直下で写真フイルム１２が給送方向に彎曲して保持される。パトローネ１０にはスプール１３が設けられ、スプール１３には写真フイルム１２が係止されている。
【００１６】
図２において、暗箱３には、撮影レンズ２の光軸Ａ１に対して４５度傾いた平面鏡１５が設けられている。撮影レンズ２を透過した被写体光は、平面鏡１５によってその光路が直角に折り曲げられる。光軸Ａ１は、写真フイルム１２の撮影画面の短辺方向と平行であり、被写体光は平面鏡１５を介して写真フイルム１２上で結像する。撮影レンズ２は、２枚の正レンズ２ａ，２ｂとから構成されている。正レンズ２ａ、２ｂの間には、フレア防止板１６、開口絞り１７が設けられている。以下の表１に撮影系のレンズデータを示す。
【００１７】
【表１】
2004078067.tif 000003
【００１８】
なお、撮影レンズ２は、合成焦点距離が３３．１４ｍｍ、撮影レンズ２の半画角は３４度、開口絞りのＦ値は１４、視野絞りのＦ値は８．０、正レンズ２ａの焦点距離は１０４．３７ｍｍである。表中のアスタリスク「＊」は対応する屈折面が非球面であることを示しており、
Ｚ＝ｃｈ２　／〔１＋｛１−（１＋Ｋ）ｃ２　ｈ２　｝１／２　〕
＋Ａｈ４　＋Ｂｈ６　＋Ｃｈ８　＋Ｄｈ１０
の条件式を満たす曲面であり、式中ｃは基準曲面の曲率半径の逆数、ｈは光軸との距離を表す。以下の表２に、各非球面係数Ａ〜Ｄを示す。
【００１９】
【表２】
2004078067.tif 000004
【００２０】
図３において、パトローネ室８の端部には、スプール１３に係合する巻上げノブ２０が設けられている。巻上げノブ２０は１回の撮影ごとに回動操作され、露光の行われたフイルムコマがパトローネ１１内に巻上げられる。フイルム室１０には、メインコンデンサ２１が設けられている。メインコンデンサ２１は、中空のロール形態で収納された写真フイルム１２の中心に配置される。ストロボ基板６はほぼＬ字形状をしており、暗箱３の周りに基板面を写真フイルム１２と平行にして配置されている。
【００２１】
ストロボ基板６上には、ストロボ発光部７の背後の位置に、ファインダユニット２２が設けられている。ファインダユニット２２は、枠体２３と、枠体２３に保持された３枚のファインダレンズとからなる。枠体２３には、物体側より順に負パワーの対物レンズ２４と、第１接眼レンズ２５と、第２接眼レンズ２６が配列されている。第１接眼レンズ２５と第２接眼レンズ２５は、その合成パワーが正となるように構成され、ファインダユニット２２内で逆ガリレオ式光学系が形成されている。
【００２２】
図４において、ストロボ基板６上には、ストロボ発光部７と、例えば昇圧トランスなどのストロボ回路を構成する回路素子２７が取り付けられている。ストロボ発光部７は、内部にキセノン管２８を収納している。キセノン管２８は、メインコンデンサ２１の給電によってストロボ光を放射する。回路素子２７は、枠体２１の底面に形成された開口部２９からファインダユニット２２の内部に入り込んでいる。開口部２２ａは、対物レンズ２４、第１接眼レンズ２５、第２接眼レンズ２６の間に設けられており、回路素子２７は各レンズの間に位置するように取り付けられている。
【００２３】
ファインダユニット２２は、図示しないスライド機構により、手動操作で上下に移動する。ファインダユニット２２は、ストロボ基板６の基板面上に位置するときはストロボ発光部７や回路素子２７がファインダ光路を遮るので、ファインダとして使用することはできない。ファインダを使用する際には、ファインダユニット２２を上方にポップアップさせ、ストロボ発光部７や回路素子２７をファインダ視野から退避させる。なお、ファインダユニット２２を移動させるスライド機構は、バネを内蔵させるなどしてワンタッチ操作でファインダユニット２２が移動できるように構成してもよい。
【００２４】
図５において、第１接眼レンズ２５の瞳側の屈折面上には、ターゲットマーク２５ａが一体に設けられている。ターゲットマーク２５ａは、その断面が三角形状をしており、ファインダ光軸を中心とする輪形の突起からなる。第２接眼レンズ２６の瞳側の面上には、マイクロレンズ２６ａが一体に設けられている。対物レンズ２４から入射したファインダ光は、第１接眼レンズ２５を透過した後、第２接眼レンズ２６の物体側の面上で一部が反射される。第２接眼レンズ２６で反射されたファインダ光の一部はターゲットマーク２５ａに達し、ターゲットマーク２５ａが照明される。ファインダ光軸上からマイクロレンズ２６ａを通してターゲットマーク２５ａを観察すると、被写体のファインダ像と重なって、ターゲットマーク２５ａの虚像が輪形の輝線として拡大視される。なお、ターゲットマーク２５ａは上記の形状のものに限られない。
【００２５】
図６及び図７において、写真フイルム１２には、フイルムベース３１上に写真乳剤層３２が設けられている。写真フイルム１２は、写真乳剤層３２側の面３３（以下、乳剤面３３という）が平面鏡１５を向いて、撮影レンズ２の光軸Ａ１と平行に配置される。写真フイルム１２は、フイルムベース３１側の面（以下、フイルムベース面３４という）からユニット底部５に押さえられている。
【００２６】
写真フイルム１２には、パーフォレーション３５よりも外側に、サイドプリント情報３６が予め露光されている。サイドプリント情報３６は、フレームナンバーを表す数字情報３７と、写真フイルム１２の識別情報を表すバーコード３８とからなる。サイドプリント情報３６は、写真フイルム１２の製造時に潜像記録され、写真フイルム１２の現像後に可視化される。
【００２７】
バーコード３８は、現像後の写真フイルム１２がデジタルプリンタ（図示なし）にセットされた際、デジタルプリンタに内蔵されたバーコードセンサによって読み取られる。デジタルプリンタは、バーコード３８の識別情報に基づいて画像の補正処理等を自動で行う。なお、サイドプリント情報３６としては、フレームナンバーを表す数字情報３７やバーコード３８以外にも、フイルム種別やロット番号、フイルムメーカーを表す英字や数字などの文字情報や、プリンタで読み取り可能な他の形式の情報が設けられていてもよい。
【００２８】
数字情報３７は、図中に示す「７」のように左右が非線対称の文字に着目したとき、写真フイルム１２を乳剤面３３側から見たときに正しく観察されるように記録されている。また、数字情報３７は、フイルムベース面２８側から見れば左右が反転して見える。
【００２９】
例えば「Ｆ」の形をした物体を撮影した場合、撮影レンズ２を透過して平面鏡１５で反射された撮影光が、乳剤面３３側から写真フイルム１２に入射する。このとき、写真フイルム１２上には、「Ｆ」の像が乳剤面３３側から見たときに正しい姿勢となるように結像する。すなわち、撮影が行われたとき、撮影画像の裏表の向きと、サイドプリント情報３６の裏表の向きが一致している。
【００３０】
レンズ付きフイルムユニット１で規定回数の撮影を終えると、パトローネ１１が取り出され、現像所に送られる。現像所には、レンズ付きフイルムユニット１で使用された写真フイルム以外にも、他のカメラ製品で使用された写真フイルムが送られてくる。現像所では、パトローネ複数本分の写真フイルムが周知のスプライサにより繋ぎ合わされて、写真フイルムの現像処理と印画紙へのプリント処理とが能率的に行われる。
【００３１】
スプライサは、同じ向きにセットされた状態のパトローネから写真フイルムを引き出し、引き出された複数の写真フイルムをそのまま繋ぎ合わせる。繋ぎ合わされた長尺の写真フイルムには、レンズ付きフイルムユニット１で使用された写真フイルム１２と他の写真フイルムが混在している。
【００３２】
繋ぎ合わされた長尺の写真フイルムは現像処理にかけられる。現像処理が終了したとき、レンズ付きフイルムユニット１で使用された写真フイルム１２と他の写真フイルムとでは画像の表裏が逆向きになっており、同様にサイドプリント情報３６の裏表も逆になっている。現像処理された長尺フイルムはデジタルプリンタに送られる。
【００３３】
このデジタルプリンタは、写真フイルムを走査してフイルム画像を読み取るラインセンサと、バーコード３８を読み取るバーコードリーダとを備えている。ラインセンサで読み取られたフイルム画像は、画像データとして出力される。また、バーコードリーダーで読み取られたバーコード３８は、バーコードデータとしてバーコード解読回路に出力される。
【００３４】
バーコード解読回路では、読み取ったバーコードが予め登録されたバーコードの形式と一致するかが判定され、一致した場合には読み取ったバーコードデータが数値化される。また、一致しなかった場合にはバーコードデータを鏡像反転させて再度判定を行う。数値化されたバーコードデータは、フイルム種別やフイルム感度などを表す情報となる。デジタルプリンタ内では、フイルム種別やフイルム感度からなるフイルム識別情報に対応した画質補正データが読み出され、画像データが演算処理にかけられて画質補正処理が行われる。補正処理された画像データは周知の液晶露光ヘッドに送られ、印画紙に画像がプリントされる。
【００３５】
図８にデジタルプリンタの処理手順の流れを示す。現像処理された長尺フイルムがデジタルプリンタに送られると、各フイルムに記録されたフイルム画像とバーコードとが読み取られる。デジタルプリンタ内では、バーコード３８が予め登録された正しいバーコード情報であるかが判定される。このとき、レンズ付きフイルムユニット１に使用された写真フイルム１２は、裏返しのままデジタルプリンタ内に送られているのでバーコード３８は解読されず。正しい向きでデジタルプリンタに送られた他の写真フイルムのバーコードは解読される。
【００３６】
解読されたバーコードデータはフイルム識別情報に変換される。フイルム識別情報に基づいて画質補正データが読み出されると、画像データに補正処理が行われ、フイルム画像が印画紙にプリント処理される。
【００３７】
一方、正しく解読されなかったバーコード３８は、反転処理された上で再び解読される。これにより、バーコード３８が正しく解読された場合には、写真フイルムが裏返しになっていると認識され、上述した画質補正処理に加えて画像データが反転処理され、裏返しのまま読み取られたフイルム画像はその左右が正しい姿勢の画像に修正されてプリント処理される。なお、バーコードを反転させても解読できなかった場合には、エラー警告等が行われる。
【００３８】
このように、上記デジタルプリンタでは、レンズ付きフイルムユニット１に使用された写真フイルムを、一般のカメラに使用された写真フイルムと同じように取り扱うことができ、パトローネの向きに対して裏表の異なる写真フイルムを予め区別しておくなど余計な手間を必要としない。
【００３９】
本発明のレンズ付きフイルムユニット１で使用される写真フイルムは、撮影画像の裏表と、サイドプリント情報３６の裏表の向きが一致しているので、例えば焼き増しプリントを行う場合などに、サイドプリントの裏表を確認することで画像の裏表を容易に確認することができ、他の写真フイルムと区別することなく同等に取り扱うことができる。
【００４０】
なお、上記実施形態では、フイルム室内にメインコンデンサを配置しているが、メインコンデンサ２１の代りにストロボ装置の電源となる乾電池を配置してもよい。また、撮影レンズのＦ値を大きくし、高感度の写真フイルムを用いることでストロボのガイドナンバーを低く抑え、小容量のメインコンデンサや小電力の電池を用いることを可能にしてメインコンデンサや電池を小型化し、両者をフイルム室内に収納してもよい。ストロボ装置の電源としては、小型電源として有望なカーボンナノチューブを用いた燃料電池などを利用してもよい。
【００４１】
【実施例】
次に、本発明のレンズ付きフイルムユニットに好適なファインダの実施例について説明する。上述したように、本発明のレンズ付きフイルムユニットは、負パワーの対物レンズと２枚の接眼レンズとからなる３枚構成のファインダを備えている。
【００４２】
（実施例１）
図９において、ファインダ５１は、負メニスカスの対物レンズＬ１１、両凸の第１接眼レンズＬ１２、正メニスカスの第２接眼レンズＬ１３から構成される。対物レンズＬ１１の焦点距離をｆ１１とし、第１接眼レンズＬ１２と第２接眼レンズＬ１３の焦点距離をそれぞれｆ１２，ｆ１３とすると、
ｆ１１＝−１５．７７ｍｍ
ｆ１２＝４１．８８ｍｍ
ｆ１３＝２０３．３３ｍｍ
である。以下に、ファインダ５１のレンズデータを示す。
【００４３】
【表３】
2004078067.tif 000005
【００４４】
なお、曲率半径、面間隔の単位はともにミリメートルであり、屈折率、分散はｄ線（波長５８７．５ｎｍ）に対して求められる値である。また、表中にアスタリスク「＊」で示す屈折面は非球面であることを表し、
Ｚ＝ｃｈ２　／〔１＋｛１−（１＋Ｋ）ｃ２　ｈ２　｝１／２　〕
＋Ａｈ４　＋Ｂｈ６　＋Ｃｈ８　＋Ｄｈ１０
の条件式を満たす曲面であり、式中ｃは基準曲面の曲率半径の逆数、ｈは光軸との距離を表す。ファインダ５１は３枚の各レンズの瞳側の面が非球面で構成されている。表４に各非球面係数を示す。
【００４５】
【表４】
2004078067.tif 000006
【００４６】
対物レンズＬ１１の瞳側の面から第１接眼レンズＬ１２の物体側の面までの間隔をＬとしたとき、このＬは第２面と第３面との面間隔であるから、表３より
Ｌ＝１６．９３ｍｍ
となる。また、ファインダの厚みＷは、ファインダ光軸上における対物レンズＬ１１の物体側屈折面から第２接眼レンズＬ１３の瞳側屈折面までの各頂点間距離、すなわち、第１面から第６面までの面間隔の合計であるから、
Ｗ＝４５ｍｍ
となる。第１接眼レンズＬ１２の屈折力をＰ１、第２接眼レンズＬ１３の屈折力Ｐ２としたとき、各屈折力は、各レンズの焦点距離の逆数で表されるから、
Ｐ１＞｜Ｐ２｜
を満足する。ファインダ５１は、
Ｗ＞２６
０．２＜（Ｌ／Ｗ）＝０．３７６＜０．７
を満足している。
【００４７】
（実施例２）
以下、同様にして他の実施例について説明する。図１０において、ファインダ５２は、負メニスカスの対物レンズＬ２１、両凸の第１接眼レンズＬ２２、負メニスカスの第２接眼レンズＬ２３とから構成されている。対物レンズＬ２１，第１接眼レンズＬ２２，第２接眼レンズＬ２３の焦点距離は、
ｆ２１＝−１６．３５ｍｍ
ｆ２２＝３８．１９８ｍｍ
ｆ２３＝−５００．３４ｍｍ
であり、第１接眼レンズＬ２２の屈折力は、第２接眼レンズＬ２３の屈折力の絶対値より大きい。表５にファインダ５２のレンズデータ、非球面係数をそれぞれ示す。
【００４８】
【表５】
2004078067.tif 000007
【００４９】
対物レンズＬ２１の瞳側の面から第１接眼レンズＬ２２の物体側の面までの間隔Ｌと、ファインダ厚みＷは、上表よりそれぞれ、
Ｌ＝２２．９５ｍｍ
Ｗ＝４５ｍｍ
であり、ファインダ５２は、本発明の特徴を表す条件式
Ｐ１＞｜Ｐ２｜
Ｗ＞２６
０．２＜（Ｌ／Ｗ）＝０．５１＜０．７
の各式を満足する。
【００５０】
（実施例３）
図１１において、ファインダ５３は、負メニスカスの対物レンズＬ３１、正メニスカスの第１接眼レンズＬ３２、負メニスカスの第２接眼レンズＬ３３とから構成されている。対物レンズＬ３１，第１接眼レンズＬ３２，第２接眼レンズＬ３３の各焦点距離は、
ｆ３１＝−１６．７９ｍｍ
ｆ３２＝３６．６３ｍｍ
ｆ３３＝−２００．００ｍｍ
である。以下の表６に、ファインダ５３のレンズデータ、非球面係数を示す。
【００５１】
【表６】
2004078067.tif 000008
【００５２】
対物レンズＬ３１の瞳側の面から第１接眼レンズＬ３２の物体側の面までの間隔Ｌと、ファインダ厚みＷは、上表より、
Ｌ＝２５．４９ｍｍ
Ｗ＝４５ｍｍ
となり、ファインダ５３は、
Ｐ１＞｜Ｐ２｜
Ｗ＞２６
０．２＜（Ｌ／Ｗ）＝０．５６６＜０．７
の各条件式を満足する。
【００５３】
（実施例４）
図１２において、ファインダ５４は、負メニスカスの対物レンズＬ４１、両凸の第１接眼レンズＬ４２、負メニスカスの第２接眼レンズＬ４３とから構成されている。対物レンズＬ４１，第１接眼レンズＬ４２，第２接眼レンズＬ４３の各焦点距離は、
ｆ４１＝−１７．９６ｍｍ
ｆ４２＝３３．９６ｍｍ
ｆ４３＝−１００．１ｍｍ
である。以下の表７にファインダ５４のレンズデータ、非球面係数を示す。
【００５４】
【表７】
2004078067.tif 000009
【００５５】
対物レンズＬ４１の瞳側の面から第１接眼レンズＬ４２の物体側の面までの間隔Ｌと、ファインダ厚みＷは、それぞれ上表より、
Ｌ＝２９．５１ｍｍ
Ｗ＝４５ｍｍ
であり、ファインダ５４は、
Ｐ１＞｜Ｐ２｜
Ｗ＞２６
０．２＜（Ｌ／Ｗ）＝０．６５６＜０．７
の各条件式を満足する。
【００５６】
（実施例５）
図１３において、ファインダ５５は、負メニスカスの対物レンズＬ５１、両凸の第１接眼レンズＬ５２、両凸の第２接眼レンズＬ５３とから構成されている。対物レンズＬ５１，第１接眼レンズＬ５２，第２接眼レンズＬ５３の各焦点距離は、
ｆ５１＝−１５．１５ｍｍ
ｆ５２＝４３．６７ｍｍ
ｆ５３＝１００．００ｍｍ
である。以下の表８に、ファインダ５５のレンズデータ、非球面係数を示す。
【００５７】
【表８】
2004078067.tif 000010
【００５８】
対物レンズＬ５１の瞳側の面から第１接眼レンズＬ５２の物体側の面までの間隔Ｌと、ファインダ厚みＷはそれぞれ、
Ｌ＝１１．４９ｍｍ
Ｗ＝４５ｍｍ
であり、ファインダ５５は、
Ｐ１＞｜Ｐ２｜
Ｗ＞２６
０．２＜（Ｌ／Ｗ）＝０．２５５＜０．７
の各条件式を満足する。
【００５９】
（実施例６）
図１４において、ファインダ５６は、負メニスカスの対物レンズＬ６１、正メニスカスの第１接眼レンズＬ６２、正メニスカスの第２接眼レンズＬ６３とから構成されている。対物レンズＬ６１，第１接眼レンズＬ６２，第２接眼レンズＬ６３の各焦点距離は、
ｆ６１＝−１４．２３ｍｍ
ｆ６２＝３６．６９ｍｍ
ｆ６３＝２００．７ｍｍ
である。以下の表９に、ファインダ５６のレンズデータ、非球面係数を示す。
【００６０】
【表９】
2004078067.tif 000011
【００６１】
対物レンズＬ６１の瞳側の面から第１接眼レンズＬ６２の物体側の面までの間隔Ｌと、ファインダ厚みＷはそれぞれ、
Ｌ＝１６．１６ｍｍ
Ｗ＝４５ｍｍ
であり、ファインダ５６は、
Ｐ１＞｜Ｐ２｜
Ｗ＞２６
０．２＜（Ｌ／Ｗ）＝０．３５９＜０．７
の各条件式を満足する。
【００６２】
（実施例７）
図１５において、ファインダ５７は、両凹の対物レンズＬ７１、両凸の第１接眼レンズＬ７２、両凸の第２接眼レンズＬ７３とから構成されている。対物レンズＬ７１，第１接眼レンズＬ７２，第２接眼レンズＬ７３の各焦点距離は、
ｆ７１＝−１３．３４ｍｍ
ｆ７２＝３５．０４ｍｍ
ｆ７３＝１８８．４ｍｍ
である。以下の表１０にファインダ５７のレンズデータ、非球面係数を示す。
【００６３】
【表１０】
2004078067.tif 000012
【００６４】
対物レンズＬ７１の瞳側の面から第１接眼レンズＬ７２の物体側の面までの間隔Ｌと、ファインダ厚みＷはそれぞれ、
Ｌ＝１５．０８ｍｍ
Ｗ＝４５ｍｍ
であり、ファインダ５７は、
Ｐ１＞｜Ｐ２｜
Ｗ＞２６
０．２＜（Ｌ／Ｗ）＝０．３３５＜０．７
の各条件式を満足する。
【００６５】
【発明の効果】
以上のように、本発明のレンズ付きフイルムユニットは、平面鏡を反射させて撮影された画像の裏表と、サイドプリントの裏表の向きが同じであるので、本発明で使用された写真フイルムと、撮影光軸とフイルム面とが直交した撮影光学系で使用された他の写真フイルムとを特に区別することなく取り扱うことができる。また、レンズ付きフイルムユニットは、一般のカメラ製品と異なり、ユーザーによる写真フイルムの装填や交換を必要としない製品であるから、市販の写真フイルムと異なる写真フイルムを用いても、ユーザーに余計な面倒をかけさせることはない。
【００６６】
また、撮影光軸と写真フイルムが平行に配置されるため、撮影光軸方向の寸法が従来に比べて大きくなるが、本発明に備えられるファインダは、負のパワーを有する対物レンズと２枚の接眼レンズとで構成され、２６ｍｍ以上のファインダ厚みが確保されるとともに、瞳側の第２接眼レンズよりも物体側の第１接眼レンズの屈折力を小さくし、対物レンズの瞳側の面から前記第１接眼レンズの物体側の面までの間隔がファインダ厚みＷの０．２倍から０．７倍の間に収まるようにしているので、ファインダ開口やレンズ径を大きくすることなく良好なファインダ視野が得られる。
【００６７】
また、上記ファインダは、対物レンズと接眼レンズをユニットの前端側と後端側にそれぞれ配置でき、撮影者によるファインダの観察位置と接眼レンズとの間隔が大きくなりすぎず、レンズ面上に形成したターゲットマークの虚像が良好に観察される。特に、上記ファインダが０．２＜Ｌ／Ｗ＜０．７の条件式を満たすときにはターゲットマークの適度な観察倍率が得られるので、ターゲットマークが大きく形成されることでフレアが発生してファインダ性能が劣化したり、ターゲットマークを小さく形成するために高精度な加工を行うことが回避できる。
【００６８】
また、上記ファインダは、ストロボ基板上にあるストロボ発光部の背後の位置と、ストロボ発光部の背後から飛び出す位置とで移動可能に設けられるので、ファインダ光路中にストロボ用回路素子を配置してファインダ内空間を有効利用することができる。
【００６９】
本発明のデジタルプリンタによれば、本発明に使用される写真フイルムと他の写真フイルムとが混ざったとしても、サイドプリント情報の読み取りミスや裏焼きプリントなどのプリントミスが生じず、正確なプリント処理を能率よく行うことができる。
【図面の簡単な説明】
【図１】レンズ付きフイルムユニットの正面図である。
【図２】暗箱の断面図である。
【図３】ユニット本体部の平面図である。
【図４】ファインダユニットの断面図である。
【図５】ファインダ光学系の斜視図である。
【図６】潜像記録されたサイドプリント情報の説明図である。
【図７】撮影光学系と撮影画像の位置関係を示す斜視図である。
【図８】デジタルプリンタの処理手順を示すフローチャートである。
【図９】ファインダの第１実施例の構成図である。
【図１０】ファインダの第２実施例の構成図である。
【図１１】ファインダの第３実施例の構成図である。
【図１２】ファインダの第４実施例の構成図である。
【図１３】ファインダの第５実施例の構成図である。
【図１４】ファインダの第６実施例の構成図である。
【図１５】ファインダの第７実施例の構成図である。
【符号の説明】
１　レンズ付きフイルムユニット
２　撮影レンズ
６　ストロボ基板
７　ストロボ発光部
１２　写真フイルム
１５　平面鏡
２２　ファインダユニット
２４　対物レンズ
２５　第１接眼レンズ
２５ａ　ターゲットマーク
２６　第２接眼レンズ
２６ａ　マイクロレンズ
２７　回路素子
３３　乳剤面
３４　フイルムベース面
３６　サイドプリント情報
３８　バーコード
【図１】
2004078067.tif 000013
【図２】
2004078067.tif 000014
【図３】
2004078067.tif 000015
【図４】
2004078067.tif 000016
【図５】
2004078067.tif 000017
【図６】
2004078067.tif 000018
【図７】
2004078067.tif 000019
【図８】
2004078067.tif 000020
【図９】
2004078067.tif 000021
【図１０】
2004078067.tif 000022
【図１１】
2004078067.tif 000023
【図１２】
2004078067.tif 000024
【図１３】
2004078067.tif 000025
【図１４】
2004078067.tif 000026
【図１５】
2004078067.tif 000027